(57)【要約】【課題】ＮＦ3 ガスの分解能力を向上させ、且つ排水温度を低くする。【解決手段】排ガスを除害するための電熱式ガス除害装置であって、電熱式ヒータ１１を備え、熱によりガスを分解する反応器１０と、反応器１０の内部に配管を介して接続され、循環水２１が収容される循環水容器２０と、半導体製造装置からの排ガスを循環水容器２０内の水面上の空間に供給し、配管を介して反応器１０内に導く機構と、空気又は不活性ガスを循環水容器２０内の水面下に供給し、循環水２１をバブリングすると共に配管を介して反応器１０内に導入する機構と、反応器１０内で分解されたガスを排気する機構と、反応器１０内でガスの分解により生じた水を循環水容器２０内に導く機構と、を具備した。【選択図】      図１
2014046297.tif 000002
【特許請求の範囲】
【請求項１】
電熱式ヒータを備え、熱によりガスを分解する反応器と、
前記反応器の内部に配管を介して接続され、循環水が収容される循環水容器と、
半導体製造装置からの排ガスを前記循環水容器内の水面上の空間に供給し、前記配管を介して前記反応器内に導く手段と、
空気、酸素を含むガス、又は不活性ガスを前記循環水容器内の水面下に供給し、前記循環水をバブリングすると共に前記配管を介して前記反応器内に導入する手段と、
前記反応器内で分解されたガスを排気する手段と、
前記反応器内で前記ガスの分解により生じた水を前記循環水容器内に導く手段と、
を具備したことを特徴とする電熱式ガス除害装置。
【請求項２】
前記循環水容器の前記排ガスの導入側に、前記排ガスの一部を除害する第１のスクラバーが設けられていることを特徴とする請求項１記載の電熱式ガス除害装置。
【請求項３】
前記反応器内で分解されたガスを排気する側に、前記反応器内で分解しきれなかったガスを除害する第２のスクラバーが設けられていることを特徴とする請求項２記載の電熱式ガス除害装置。
【請求項４】
前記循環水容器は、前記循環水の水面よりも上方の空間が第１の配管により前記反応器と接続され、前記循環水の水面以下の部分が第２の配管により前記反応器と接続されていることを特徴とする請求項１記載の電熱式ガス除害装置。
【請求項５】
前記１次スクラバーは、前記循環水容器と第３の配管により接続され、前記２次スクラバーは、前記反応器と第４の配管により接続されていることを特徴とする請求項４記載の電熱式ガス除害装置。
【発明の詳細な説明】
【技術分野】
【０００１】
本発明の実施形態は、ＣＶＤ装置等の半導体製造装置からの排ガスを除害するための電熱式ガス除害装置に関する。
【背景技術】
【０００２】
ＣＶＤ装置では、各種の原料ガスの導入により基板上に膜を形成するが、一部の原料ガスは未反応のまま排気される。また、ＣＶＤ装置内の定期的な洗浄のためにクリーニングガスが導入されるが、その一部は未反応のままＣＶＤ装置から排出される。そこで、ＣＶＤ装置の後段に、これらの排ガスを除害するガス除害装置が設けられている。
【０００３】
ＣＶＤ装置のクリーニング用ガスとしてはＮＦ3 が用いられているが、その１／３〜１／２程度は未反応のままＣＶＤ装置から排出される。ＮＦ3 は、ＣＯと似た毒性を有するガスであるため、環境中への放出に際してはＮＦ3 を含むガスを予め除害する必要がある。ＮＦ3 を除害する電熱式ガス除害装置としては、ＮＦ3 を含む排ガスを循環水容器を通し、水蒸気と混合して反応器内に導き、ＮＦ3 を水と反応させて分解する方法が採用されている。
【０００４】
しかし、この種の装置では、反応器におけるＮＦ3 ガスの分解能力が低いと云う問題があった。さらに、ＮＦ3 の分解により発生する水の温度が高いため、循環水容器から排出される排水の温度が高くなると云う問題もあった。
【先行技術文献】
【特許文献】
【０００５】
【特許文献１】特開平３−６５２１８号公報
【特許文献２】特開平９−８５０４５号公報
【発明の概要】
【発明が解決しようとする課題】
【０００６】
発明が解決しようとする課題は、ＮＦ3 ガスの分解能力を向上させ、且つ排水温度を低くできる電熱式ガス除害装置を提供することである。
【課題を解決するための手段】
【０００７】
実施形態の電熱式ガス除害装置は、電熱式ヒータを備え、熱によりガスを分解する反応器と、前記反応器の内部に配管を介して接続され、循環水が収容される循環水容器と、半導体製造装置からの排ガスを前記循環水容器内の水面上の空間に供給し、前記配管を介して前記反応器内に導く手段と、空気、酸素を含むガス、又は不活性ガスを前記循環水容器内の水面下に供給し、前記循環水をバブリングすると共に前記配管を介して前記反応器内に導入する手段と、前記反応器内で分解されたガスを排気する手段と、前記反応器内で前記ガスの分解により生じた水を前記循環水容器内に導く手段と、を具備している。
【図面の簡単な説明】
【０００８】
【図１】実施形態に係わる電熱式ガス除害装置を示す概略構成図。
【図２】比較例としての電熱式ガス除害装置を示す概略構成図。
【発明を実施するための形態】
【０００９】
（実施形態）
以下、実施形態の電熱式ガス除害装置を、図面を参照して説明する。
【００１０】
図１は、実施形態に係わる電熱式ガス除害装置を示す概略構成図である。
【００１１】
図中の１０は、ＣＶＤ装置等から排出された排ガスを、熱により分解して除害するための反応器であり、この反応器１０内には筒状の電熱式ヒータ１１が設置されている。そして、この反応器１０は、第１の配管５１及び第２の配管５２により循環水容器２０に接続されている。
【００１２】
循環水容器２０内には、循環水２１が貯留されており、配管５１は水面上の空間に接続され、配管５２は水面下の位置で接続されている。循環水容器２０には、循環水２１内に反応エアーを導入するためのエアー導入管５５が接続されている。この導入管５５は、循環水２１の水面よりも下方の部分に接続され、導入管５５からエアーを導入することにより循環水２１がバブリングされるようになっている。さらに、循環水容器２０は配水管５６に接続され、この配水管５６から循環水２１は排水されるものとなっている。
【００１３】
循環水容器２０には、後述する１次スクラバーと接続するための第３の配管５３が接続され、更に配管５２には後述する２次スクラバーと接続するための第４の配管５４が接続されている。
【００１４】
ＣＶＤ装置等からの排ガスは、ポンプ４０により１次スクラバー３１に供給され、配管５３を通して循環水容器２０内に導入される。より具体的には、循環水容器２０内の循環水２１の水面より上方の空間に導入される。なお、図には示さないが、循環水２１はスクラバー３１，３２及びその他の冷却が必要な部分に循環されるようになっている。
【００１５】
循環水容器２０内に導入された排ガスは、配管５１を通して反応器１０内に導入される。反応器１０内で分解された排ガスは、配管５２，５４を通して２次スクラバー３２に供給され、ダクトから排出される。また、反応器１０の下部に溜まった水は循環水容器２０内に導入されるものとなっている。
【００１６】
次に、上記構成された本装置の作用について説明する。
【００１７】
ＣＶＤ装置等のクリーニングに用いたＮＦ3 を含む排ガスは、ポンプ４０により１次スクラバー３１に供給され、このスクラバー３１により排ガスのうちの一部（例えば、珪弗化アンモニウム：（ＮＨ4）2 ＳｉＦ6 ）が除去される。そして、１次スクラバー３１を通過した排ガスは配管５３を通して循環水容器２０内に導入され、更に配管５１を通して反応器１０内に導入される。
【００１８】
ここで、循環水容器２０では空気により循環水２１がバブリングされるため、水分をより多く反応器１０内に導入することが可能となる。これは、循環水容器２０内でのバブリングにより空気自体に十分な水分が取り込まれ、更にバブリングによりミストが発生し、そのミストが反応器１０に運ばれやすくなるためである。また、バブリングにより水面を揺らすと、水面と排ガスとの接触面積が大きくなり、排ガス中により効率良く水分が取り込まれるためである。
【００１９】
反応器１０内では、ヒータ１１による加熱により、配管５１を通して導入された排ガスが分解される。特に、ＮＦ3 のガス分解には水分が必要であり、この場合の反応式は次のようなる。
【００２０】
４ＮＦ3 ＋６Ｈ2 Ｏ→１２ＨＦ＋２Ｎ2 ＋３Ｏ2 
２ＮＦ3 ＋３Ｈ2 Ｏ→６ＨＦ＋ＮＯ＋ＮＯ2 
ここで、本実施形態のように、反応エアーを循環水２１内に直接導入しバブリングさせることにより、１次スクラバー３１を通して導入された排ガスに水分を十分に含ませることができる。このため、反応器１０内に水分をより多く導入することができ、これによりＮＦ3 ガスの分解能力を高めることが可能となる。
【００２１】
反応器１０内で分解されたガスは、配管５２，５４を通して２次スクラバー３２に供給される。そして、このスクラバー３２では、反応器１０内で分解しきれなかった排ガスが除害されると共に、ガスが冷却される。そして、スクラバー３２を通した排ガスはダクトから排出される。
【００２２】
ここで、比較のために、一般的な電熱式ガス除害装置の構成を、図２に示しておく。基本的な構成は前記図１と同様であるが、循環水容器２０に接続されるエアー導入管５５の位置が異なり、エアーは循環水２１内ではなく、循環水２１の水面よりも上部の空間に供給されている。
【００２３】
図２の構成においても、１次スクラバー３１を通して導入されたガスに水分を含ませて反応器１０内に導入することは可能である。しかし、ＮＦ3 の分解には十分な水分が必要であり、この方式では十分な水分を供給できているとは云えず、ガス分解の効率が悪い。さらに、排水温度も６０℃と高いものとなる。
【００２４】
これに対し、本実施形態のように、反応エアーを循環水２１内に直接導入しバブリングさせることにより、１次スクラバー３１を通して導入されたガスに水分を十分に含ませることができる。このため、反応器１０内に水分をより多く導入することができ、これによりＮＦ3 ガスの分解能力を高めることが可能となる。また、反応エアーで循環水２１をバブリングしているため、循環水２１を冷却することができ、これにより循環水２１の温度を低下させることができる。これは、排水温度の低下を意味し、排水ラインの熱負荷の低減に寄与することになる。
【００２５】
図１に示す本実施形態と図２に示す装置とを同じ条件で使用して比較すると、本実施形態では、ＮＦ3 ガス分解反応性が高まり、ＮＦ3 出口濃度は１／６以下に低下した。さらに、循環水温度も６０℃→４０℃に低下した。また、本実施形態では、循環水温度を低くしても、バブリングさせた反応エアー中の水分量が多く（高湿度エアーとなるため）、ＮＦ3 ガス分解反応性は良好であった。
【００２６】
なお、上記ではＣＶＤ装置のクリーニングに用いたＮＦ3 を含む排ガスに関して説明したが、ＣＶＤ装置で成膜に用いるシラン（ＳｉＨ4）やホスフィン（ＰＨ3）等の原料ガスは図１及び図２の何れの装置でも十分に除害できる。つまり、本実施形態の電熱式ガス除害装置は、ＣＶＤ装置の原料ガスの除害は勿論のこと、クリーニングガスの除害に特に有効である。
【００２７】
このように本実施形態によれば、循環水容器２０内でエアーにより循環水２１をバブリングするため、反応器１０内に排ガスを導入する際に水分をより多く反応器１０内に導入することが可能となる。このため、ＮＦ3 ガスの分解能力を向上させ、ＮＦ3 ガスを効率良く除害することが可能となる。また、循環水２１を空気でバブリングしているため、循環水を冷却することが可能となり、循環水容器２０から排出される排水の温度を低くできる利点もある。
【００２８】
（変形例）
なお、本発明は上述した実施形態に限定されるものではない。
【００２９】
実施形態では、循環水容器のガス入口側に１次スクラバーを設け、反応器のガス排気側に２次スクラバーを設けたが、必ずしもこれらのスクラバーは設けなくても良い。１次スクラバーは反応器内の熱処理では除害できない成分を除害するものであるため、ＣＶＤ装置等から供給される排ガス中に熱処理では除害できない成分（例えば、珪弗化アンモニウム）が少ない場合は、１次スクラバーを省略することも可能である。さらに、２次スクラバーは反応器で除害しきれなかったガスを除害するものであるため、反応器で十分にＮＦ3 を含むガスを除害できる場合は、２次スクラバーを省略することも可能である。
【００３０】
反応器の構成は、前記図１に限定されるものではなく、仕様に応じて適宜変更可能である。例えば、ヒータの形状は、筒状に限るものではなく、導入されたガスを十分に加熱できるものであればよい。
【００３１】
循環水容器の水面下に導入する気体は必ずしも大気中の空気に限るものではなく、循環水をより効率良く冷却するためにコールドドライエアーを用いることもできる。さらに、酸素を含むガスや窒素等の不活性ガスを用いることも可能である。
【００３２】
また、本発明の電熱式ガス除害装置は、必ずしもＣＶＤ装置における排ガスの処理に限らず、ＮＦ3 を含むガスをクリーニングに用いる各種の半導体製造装置に適用することが可能である。
【００３３】
本発明の幾つかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１０…反応器
１１…電熱式ヒータ
２０…循環水容器
２１…循環水
３１…１次スクラバー
３２…２次スクラバー
４０…ポンプ
５１，５２，５３，５４…配管
５５…エアー導入管
５６…配水管
【図１】
2014046297.tif 000003
【図２】
2014046297.tif 000004